(57)【要約】【課題】  リンクアグリゲーションを使用して帯域の確保ができる。しかし、確保した帯域は、常時、確保した帯域分の使用があるとは限らない。また、確保した帯域で十分だとも、限らない。現状、帯域に過不足が出た場合の対応策が無い。そこで、リンクアグリゲーションで確保している帯域を、時間、曜日、トラフィック量等の要因により動的に変更可能とする方法を提供する。【解決手段】  オペレータが時間・曜日・トラフィック量などと、それに起因したリンクアグリゲーションの集約回線数を設定しておく。スイッチ#1、スイッチ#2はそれぞれ、毎正時にスケジューラが設定内容を確認し、集約回線の変更が必要があれば、集約回線の変更を行う。【選択図】  図８
2008098720.tif 000002
【特許請求の範囲】
【請求項１】
リンクアグリゲーションを使用しているシステムにおけるネットワーク回線数変更方法において、
時間、曜日、トラフィックなどの要因により、それぞれ集約されている異なるリンクアグリゲーショングループ間で、回線の移動を行うことを特徴とするネットワーク回線数変更方法。
【発明の詳細な説明】
【技術分野】
【０００１】
本発明は、ネットワーク回線数変更方法に関し、特に、リンクアグリゲーションを使用した帯域制御において、リンクアグリゲーションによって集約されている回線数を動的に変更するネットワーク回線数変更方法に関する。
【背景技術】
【０００２】
リンクアグリゲーションはIEEE802.3adにより規定されており、高性能なルータまたはスイッチに実装されている。また、リンクアグリゲーションにおける帯域利用率を向上させる技術として、特許文献１がある。
【０００３】
【特許文献１】特開2006-115392号公報
【発明の開示】
【発明が解決しようとする課題】
【０００４】
従来のリンクアグリゲーションの構成はオペレータが回線の集約条件を設定後、1つのリンクアグリゲーショングループに集約されている物理回線が障害等によって、運用不可になった場合の帯域縮退には対応しているが、確保した帯域が不足したり、十分過ぎる帯域を確保したりしている場合、複数のリンクアグリゲーショングループの帯域が動的に変更されることは無い。
【０００５】
つまり、従来のリンクアグリゲーションでは、オペレータが構成定義によって、リンクアグリゲーション収容回線数を設定し、以後、変更が無い限り、運用時にリンクアグリゲーションの構成が変更されることは無い。
【０００６】
本発明の目的は、本発明においても、構成定義で、時間、曜日、トラフィック量などの要因と、リンクアグリゲーション収容回線数を設定することで、運用中にリンクアグリゲーション収容回線数を動的に変化させることを可能とするネットワーク回線数変更方法を提供することにある。
【課題を解決するための手段】
【０００７】
上記目的を達成するために本発明は、リンクアグリゲーションを用いた帯域確保の手法において、時間、曜日、トラフィック量等の要因により確保している帯域に過不足が生じた際、リンクアグリゲーショングループの帯域を動的に変更することにより、ネットワークの運用を最適化する。
【発明の効果】
【０００８】
本発明により、あらかじめ、時間帯、曜日などによってトラフィック変動が想定される場合に、トラフィック量に対応したリンクアグリゲーション収容回線数を設定することで、運用中に動的にリンクアグリゲーション収容回線数を変化させることを可能とする。
【０００９】
また、キャリア等で本サービスを適用した場合、きめ細かい帯域サービスが可能になり、サービス性が向上する。
【発明を実施するための最良の形態】
【００１０】
以下、本発明の一実施形態を説明する。本実施形態は、リンクアグリゲーションによる帯域確保の構成において、時間、曜日、トラフィック量等の要因で、必要十分な帯域を提供するものである。
【００１１】
そのための装置構成を図1に示す。
【００１２】
スイッチ#A、スイッチ#Bにおいて、リンクアグリゲーションを設定する。ポートa,b,cをリンクアグリゲーショングループ1、ポートd,e,fをリンクアグリゲーショングループ2と仮定する。
【００１３】
構成定義に設定された時刻になった際に、動的にリンクアグリゲーションの構成が変更された装置構成を図2に示す。
【００１４】
図2に示すように、リンクアグリゲーションの構成が、ポートa,b,をリンクアグリゲーショングループ1、ポートc,d,e,fをリンクアグリゲーショングループ2に変更される。
【００１５】
以降、リンクアグリゲーションの構成は、構成定義に設定された内容に従って、動的に構成変更を繰り返す。図3に本処理を動作させるための、内部構成を示す。
【００１６】
構成定義データは、オペレータがあらかじめ設定した、時間、曜日、トラフィック量と各条件時のリンクアグリゲーション構成情報を格納した、テーブルである。スケジューラが毎正時起動され、LA制御部はconfig tableを読み込みリンクアグリゲーション構成を変更する必要があるかを判断し、必要がある場合、リンクアグリゲーション構成を変更する。
【００１７】
図4、図5、図6は時間、曜日、トラフィック量とリンクアグリゲーション構成の対応をしめした表である。
【００１８】
図7は、オペレータにより、時間、曜日、トラフィック量とリンクアグリゲーションの構成が設定された際に、何をキーにスケジューラを設定するかを、判断するフローである。図9に、リンクアグリゲーション構成変更時のフローを示す。
【００１９】
図8は毎正時に起動されるスケジューラの処理フローである。
【００２０】
以下に、スイッチ#A、スイッチ#Bそれぞれに、リンクアグリゲーションを設定する実施例を説明する。
【００２１】
図１は、リンクアグリゲーションを設定したネットワーク構成図を示す。
【００２２】
図４は、スイッチ#A、スイッチ#Bにリンクアグリゲーションを設定する際に、リンクアグリゲーショングループとそれに所属する回線、リンクアグリゲーショングループの適用を開始する時刻を設定した例を示す。
【００２３】
図５は、リンクアグリゲーショングループとそれに所属する回線、リンクアグリゲーショングループの適用を開始する曜日を設定した例を示す。
【００２４】
図６は、リンクアグリゲーショングループとそれに所属する回線、リンクアグリゲーショングループの適用を開始するトラフィック量を設定した例を示す。
【００２５】
図４〜図６のそれぞれの設定は、構成定義データとして保存される。
【００２６】
図７は、設定を受け付けた後、内部では毎正時、構成定義データをチェックするようスケジューラ登録される処理フローを示す。
【００２７】
図８は、スケジューラは毎正時起動され、構成定義データに設定された内容と合致するかどうかのチェックを行う処理フローを示す。
【００２８】
図９は、構成定義データの内容と合致していた場合、リンクアグリゲーションの構成変更を実施する処理フローを示す。
【００２９】
図７〜図９の一連の動作を繰り返し行うことで、リンクアグリゲーショングループ間の収容回線を動的に変更することができる。
【図面の簡単な説明】
【００３０】
【図１】本発明の一実施形態である、代表的なリンクアグリゲーションを用いたネットワーク構成図。
【図２】図１に示すリンクアグリゲーションの集約ポートが、図１から遷移した状態を示した図。
【図３】本発明の一実施形態であるシステム構成図。
【図４】リンクアグリゲーションとリンクアグリゲーションに所属するポートを時間によって設定するテーブル。
【図５】リンクアグリゲーションとリンクアグリゲーションに所属するポートを曜日によって設定するテーブル。
【図６】リンクアグリゲーションとリンクアグリゲーションに所属するポートをトラフィックによって設定するテーブル。
【図７】設定内容(時間/曜日/トラフィック)毎にスケジューラに設定するフロー図。
【図８】スケジューラに設定された内容毎の動作フロー図。
【図９】リンクアグリゲーション構成変更処理フロー図。
【符号の説明】
【００３１】
１、２：スイッチ、３：a,b,cを1つに集約したリンクアグリゲーショングループ＃１、４：d,e,fを1つに集約したリンクアグリゲーショングループ＃２、５：集約するポート数が変更されたリンクアグリゲーショングループ＃１、６：集約するポート数が変更されたリンクアグリゲーショングループ＃２、７：スケジューラ、１０：LA制御部、１１：構成定義データ
【図１】
2008098720.tif 000003
【図２】
2008098720.tif 000004
【図３】
2008098720.tif 000005
【図４】
2008098720.tif 000006
【図５】
2008098720.tif 000007
【図６】
2008098720.tif 000008
【図７】
2008098720.tif 000009
【図８】
2008098720.tif 000010
【図９】
2008098720.tif 000011